(57)【要約】【課題】効率的な音声出力システムを有する空気調和機を提供する。【解決手段】室内機３０と、室外機１０とを備える空気調和機１００が提供される。室内機は、第１のメモリ３５２と第１のプロセッサ３５１とを含むコントロールユニット３５Ａと、音声データを格納するための第２のメモリ３５７と第２のプロセッサ３５６と無線通信インターフェイス３５９とを含む無線通信ユニット３５Ｂと、スピーカ３８と、を含む。無線通信機能をＯＦＦした状態で、第２のプロセッサ３５６が第２のメモリ３５７の音声データに基づいてスピーカ３８から音声を出力させる。【選択図】図１
2020122589.tif 000002
【特許請求の範囲】
【請求項１】
室内機と、
室外機とを備える空気調和機であって、
前記室内機は、第１のメモリと第１のプロセッサとを含むコントロールユニットと、音声データを格納するための第２のメモリと第２のプロセッサと無線通信インターフェイスとを含む無線通信ユニットと、スピーカと、を含み、
無線通信機能をＯＦＦした状態で、前記第２のプロセッサが前記第２のメモリの音声データに基づいて前記スピーカから音声を出力させる、空気調和機。
【請求項２】
前記第２のメモリは不揮発性メモリを含み、
前記第２のプロセッサは、前記無線通信インターフェイスを介して取得した音声データを前記不揮発性メモリに格納し、前記コントロールユニットからの指示に基づいて前記不揮発性メモリの前記音声データに基づいて前記スピーカから音声を出力させる、請求項１に記載の空気調和機。
【請求項３】
前記第２のプロセッサは、前記無線通信インターフェイスを介して取得した音声データによって前記不揮発性メモリの音声データを書き換える、請求項２に記載のネットワークシステム。
【請求項４】
前記室内機は、表示部をさらに含み、
前記第１のプロセッサは、前記第２のプロセッサが起動中に、前記無線通信機能をＯＦＦした状態に、前記表示部をＯＦＦする、請求項１から３のいずれか１項に記載の空気調和機。
【請求項５】
前記無線通信ユニットから前記コントロールユニットに制御信号を送信する信号線を、前記コントロールユニットから前記無線通信ユニットに音声出力を指示するための信号の送信に用いる、請求項１から４のいずれか１項に記載のネットワークシステム。
【請求項６】
前記無線通信インターフェイスとは別の通信インターフェイスを介して、前記空気調和機に対する制御命令を受け付ける、請求項１から５のいずれか１項に記載の空気調和機。
【発明の詳細な説明】
【技術分野】
【０００１】
本発明は、空気調和機の技術に関し、特に無線通信ユニットを有する空気調和機の技術に関する。
【背景技術】
【０００２】
従来から、室内機を制御するためのコントロールユニットと外部の装置と通信するための無線通信ユニットとを搭載する空気調和機が知られている。たとえば、特開２０１４−２１６８３５公報（特許文献１）には、家電制御システムが開示されている。特許文献１によると、家電制御システムは、同一の室内に設けられている空気調和機および照明装置を制御する。制御装置は、前記空気調和機の運転に連携して、前記照明装置の照度または色調の少なくともいずれか一方を制御する。
【先行技術文献】
【特許文献】
【０００３】
【特許文献１】特開２０１４−２１６８３５公報
【発明の概要】
【発明が解決しようとする課題】
【０００４】
本発明の目的は、効率的な音声出力システムを有する空気調和機を提供することにある。
【課題を解決するための手段】
【０００５】
この発明のある態様に従うと、室内機と、室外機とを備える空気調和機が提供される。室内機は、第１のメモリと第１のプロセッサとを含むコントロールユニットと、音声データを格納するための第２のメモリと第２のプロセッサと無線通信インターフェイスとを含む無線通信ユニットと、スピーカと、を含む。無線通信機能をＯＦＦした状態で、第２のプロセッサが第２のメモリの音声データに基づいてスピーカから音声を出力させる。
【発明の効果】
【０００６】
以上のように、本発明によれば、効率的な音声出力システムを有する空気調和機が提供される。
【図面の簡単な説明】
【０００７】
【図１】第１の実施の形態にかかる空気調和機の概要を示すイメージ図である。
【図２】第１の実施の形態にかかる空気調和機１００の冷房運転時および除湿運転、除霜運転時の概略構成図である。
【図３】第１の実施の形態にかかる空気調和機１００の暖房運転時の概略構成図である。
【図４】第１の実施の形態にかかる室内制御部３５と室外制御部２９との構成を示すブロック図である。
【図５】第２の実施の形態にかかる室内制御部３５と室外制御部２９との構成を示すブロック図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜空気調和機の概要＞
【０００９】
本実施の形態にかかる空気調和機は、主に、室内機と室外機とから構成される。両者は互いに冷媒配管や信号線などによって連結されている。図１を参照しながら、本実施の形態にかかる空気調和機の室内機３０の概要について説明する。
【００１０】
本実施の形態にかかる室内機３０には、空調和運転を行うためのメインの制御基板、すなわちコントロールユニット３５Ａと、外部の機器と無線通信を行うための無線通信ユニット３５Ｂと、が搭載される。そして、本実施の形態においては、無線通信ユニット３５Ｂが、その記憶領域３５７１，３５７２，３５７３に音声データを格納し、当該音声データに基づいて室内機３０のスピーカ３８から各種の音声が出力される。
【００１１】
たとえば、記憶領域３５７１は、たとえば不揮発性メモリであって、空気調和運転に関する所定の繰り返し利用される音声データを格納する。記憶領域３５７２は、たとえばＲＡＭであって、クラウドからダウンロードした１回限りの音声データを一時的に格納する。本実施の形態においては、繰り返し利用される音声データもクラウドからダウンロードされ、当該音声データによって記憶領域３５７１が上書きされる。
【００１２】
そして、本実施の形態においては、ユーザが無線通信ＯＦＦにした場合、無線通信を停止しつつ、無線通信ユニット３５Ｂ自体は起動したまま、記憶領域３５７１に記憶されている音声データに基づいて、スピーカ３８からの音声出力を継続するものである。本実施の形態においては、コントロールユニット３５Ａは音声データの記憶を行わずに、コントロールユニット３５Ａは必要な音声の出力を無線通信ユニット３５Ｂに指示するように構成されている。
【００１３】
これによって、本実施の形態においては、無線通信ユニット３５Ｂからコントロールユニット３５Ａの音声データの書き換えが不要になる。また、室内機３５の組み立て時や出荷後に、無線通信ユニット３５Ｂだけを取り付けたり、取り換えたりすることが可能になる。以下、このような機能を実現するための空気調和機１００の具体的な構成について詳述する。
＜空気調和機１００の構成＞
【００１４】
図２および図３を参照して、本実施の形態にかかる空気調和機１００は、セパレート式の空気調和機であって、主に、室外機１０、室内機３０およびリモートコントローラ５０から構成されている。なお、空気調和機１００は、室外機１０と室内機３０とが冷媒配管１７および１８を介して接続されることによって構成されている。以下、室外機１０、室内機３０、リモートコントローラ５０、冷媒配管１７および１８について詳述する。
【００１５】
（１）室外機
室外機１０は、主に、筐体１１、圧縮機１２、四路切換弁１３、室外熱交換器１４、膨張弁１５、室外ファン１６、冷媒配管１７、冷媒配管１８、二方弁１９、三方弁２０、室外熱交換器温度センサ２１、吐出温度センサ２２、吸入温度センサ２３、室外熱交換器出口温度センサ２４、外気温度センサ２５および室外制御部２９から構成されている。なお、この室外機１０は、屋外に設置されている。
【００１６】
圧縮機１２は、吐出管１２ａおよび吸入管１２ｂを有している。吐出管１２ａおよび吸入管１２ｂは、それぞれ、四路切換弁１３の異なる接続口に接続されている。また、圧縮機１２は、通信線を介して室外制御部２９に通信接続されており、室外制御部２９から送信される制御信号に従って動作する。圧縮機１２は、運転時、吸入管１２ｂから低圧の冷媒ガスを吸入し、その冷媒ガスを圧縮して高圧の冷媒ガスを生成した後、その高圧の冷媒ガスを吐出管１２ａから吐出する。
【００１７】
四路切換弁１３は、冷媒配管を介して圧縮機１２の吐出管１２ａおよび吸入管１２ｂ、室外熱交換器１４ならびに室内熱交換器３２に接続されている。そして、この四路切換弁１３は、通信線を介して室外制御部２９に通信接続されており、室外制御部２９から送信される制御信号に従って動作する。これによって、四路切換弁１３は、運転時、室外制御部２９から送信される制御信号に従って、圧縮機１２の吐出管１２ａを室外熱交換器１４に連結させると共に圧縮機１２の吸入管１２ｂを室内熱交換器３２に連結させる冷房運転や除湿運転や除霜運転状態（図２参照）と、圧縮機１２の吐出管１２ａを室内熱交換器３２に連結させると共に圧縮機１２の吸入管１２ｂを室外熱交換器１４に連結させる暖房運転状態（図３参照）とを切り換える。
【００１８】
室外熱交換器１４は、左右両端で複数回折り返された伝熱管（図示せず）に多数の放熱フィン（図示せず）が取り付けられたもの（フィン＆チューブ型）であって、冷房運転時や除霜運転時（図２参照）には凝縮器として機能し、暖房運転時（図３参照）には蒸発器として機能する。なお、熱交換器としてパラレルフロー型熱交換器やサーペンタイン型熱交換器を用いてもよい。
【００１９】
膨張弁１５は、後述するステッピングモータを介して開度制御が可能な電子膨張弁である。膨張弁１５は、一方が冷媒配管１７を介して二方弁１９に接続されると共に、他方が室外熱交換器１４に接続されている。また、この膨張弁１５のステッピングモータは、通信線を介して室外制御部２９に通信接続されており、室外制御部２９から送信される制御信号に従って動作する。膨張弁１５は、運転時において、凝縮器（冷房運転時や除湿運転時や除霜運転時は室外熱交換器１４であり、暖房運転時は室内熱交換器３２である）から流出する高温高圧の液冷媒を蒸発しやすい状態に減圧すると共に、蒸発器（冷房運転時や除湿運転時や除霜運転時は室内熱交換器３２であり、暖房運転時は室外熱交換器１４である）への冷媒供給量を調節する役目を担っている。
【００２０】
室外ファン１６は、主に、プロペラファンおよびモータから構成されている。プロペラファンは、モータによって回転駆動され、屋外の外気を室外熱交換器１４に供給する。モータは、通信線を介して室外制御部２９に通信接続されており、室外制御部２９から送信される制御信号に従って動作する。
【００２１】
二方弁１９は、冷媒配管１７に配設されている。なお、二方弁１９は、室外機１０から冷媒配管１７が取り外されるときに閉じられ、冷媒が室外機１０から外部に漏れることを防ぐ。
【００２２】
三方弁２０は、冷媒配管１８に配設されている。なお、三方弁２０は、室外機１０から冷媒配管１８が取り外されるときに閉じられ、冷媒が室外機１０から外部に漏れることを防ぐ。また、室外機１０から、あるいは室内機３０を含めた冷凍サイクル全体から、冷媒を回収する必要があるときは、三方弁２０を通じて冷媒の回収が行われる。
【００２３】
温度センサ２１〜２５は、サーミスタである。室外熱交換器温度センサ２１は室外熱交換器１４に配置されており、吐出温度センサ２２は圧縮機１２の吐出管１２ａに配置されており、吸入温度センサ２３は圧縮機１２の吸入管１２ｂに配置されており、室外熱交換器出口温度センサ２４は室外熱交換器１４の出口付近の冷媒配管１７に配置されており、外気温度センサ２５は外気温度測定用であって筐体１１の内部の所定箇所に配置されている。より詳細には、外気温度センサ２５は、例えば、室外ファン１６によって室外熱交換器１４に供給される前の外気の温度を検知できる箇所に配置されることが好ましい。これらの温度センサ２１〜２５は、全て、通信線を介して室外制御部２９に通信接続されており、計測された温度に関する情報を室外制御部２９に送信している。
【００２４】
室外制御部２９は、通信線を介して圧縮機１２、四路切換弁１３、膨張弁１５、室外ファン１６、温度センサ２１〜２５に通信接続されている。たとえば、室外制御部２９のプロセッサは、随時、温度センサ２１〜２５の出力情報や、メモリに記憶される種々の制御パラメータ等を演算処理して適切な制御パラメータを導出し、その制御パラメータを、圧縮機１２や、四路切換弁１３、膨張弁１５、室外ファン１６に送信する。また、プロセッサは、必要に応じて、制御パラメータ等を室内制御部３５に送信したり、受信したりする。
【００２５】
（２）室内機
室内機３０は、主に、筐体３１、室内熱交換器３２、室内ファン３３、室内熱交換器温度センサ３４、室内温度センサ３７、室内制御部３５、フィルタ１０４、縦ルーバ（上下風向板）１０５、図示しない横ルーバ（左右風向板）から構成されている。
【００２６】
筐体３１には、室内熱交換器３２、室内ファン３３、室内熱交換器温度センサ３４、室内温度センサ３７、および室内制御部３５等が収納されている。縦ルーバ１０５は、筐体３１の一部を構成している。
【００２７】
室内熱交換器３２は、３個の熱交換器３２Ａ、３２Ｂ、３２Ｃを、室内ファン３３を覆う屋根（逆Ｖ字形、ラムダ型）のように組み合わせたものである。なお、各熱交換器３２Ａ、３２Ｂ、３２Ｃは、左右両端で複数回折り返された伝熱管（図示せず）に多数の放熱フィン（図示せず）が取り付けられたものであって、冷房運転時および除湿運転時や除霜運転時（図２参照）には蒸発器として機能し、暖房運転時（図３参照）には凝縮器として機能する。
【００２８】
室内ファン３３は、主に、クロスフローファンおよびモータから構成されている。クロスフローファンは、モータによって回転駆動され、室内の空気を吸い込み口１０２からフィルタ１０４を通して筐体３１に吸い込んで室内熱交換器３２に供給すると共に、室内熱交換器３２で熱交換された空気を吹き出し口１０３を介して室内に送出する。モータは、通信線を介して室内制御部３５に通信接続されており、室内制御部３５から送信される制御信号に従って動作する。
【００２９】
温度センサ３４は、サーミスタである。室内熱交換器温度センサ３４は室内熱交換器３２に配置されており、室内温度センサ３７は、室内温度を測定するものであって筐体３１内の吸込口付近に配置されている。温度センサ３４，３７は、通信線を介して室内制御部３５に通信接続されており、計測された温度に関する情報を室内制御部３５に送信している。
【００３０】
室内制御部３５は、通信線を介して室内ファン３３、温度センサ３４，３７などに通信接続されている。室内制御部３５のプロセッサは、随時、リモートコントローラ５０からの制御信号や、温度センサ３４，３７などの出力情報等を演算処理して適切な制御パラメータを導出し、その制御パラメータ等を、室内ファン３３などに送信する。また、プロセッサは、必要に応じて、制御パラメータ等を室外制御部２９に送信したり、制御パラメータ等を室外制御部２９から受信したりする。
【００３１】
赤外線受光部３６は、リモートコントローラ５０から発生される点滅赤外線を受光するものである。この赤外線受光部３６は、点滅赤外線を信号化処理し、生成した信号を室内制御部３５に受け渡す。
【００３２】
スピーカ３８は、室内制御部３５のプロセッサからの指示に基づいて、音声を出力する。本実施の形態においては、スピーカ３８は、主に、無線通信ユニット３５Ｂからの信号に基づいて音声を出力する。
【００３３】
ライト３９は、無線通信ユニット３５Ｂによる無線通信が有効であるときに点灯するものであって、室内制御部３５のプロセッサからの指示に基づいて光を出力する。ただし、本実施の形態においては、無線通信ユニット３５Ｂは、無線通信がＯＦＦされていても、プロセッサなどは起動したままに構成されている。
【００３４】
なお、室外機１０の圧縮機１２、四路切換弁１３、室外熱交換器１４および膨張弁１５、ならびに室内機３０の室内熱交換器３２は、冷媒配管１７，１８によって順次接続され、冷媒回路（冷凍サイクル）を構成している。
【００３５】
（３）冷媒配管
冷媒配管１７は、冷媒配管１８よりも細い管であって、冷房運転時、除湿運転時および除霜運転時に液冷媒が流れる。冷媒配管１８は、冷媒配管１７よりも太い管であって、冷房運転時にガス冷媒が流れる。
＜制御部の構成＞
【００３６】
本実施の形態にかかる空気調和機１００は、上述した通り、室内制御部３５と室外制御部２９とを含む。以下では、図４を参照して、室内制御部３５と室外制御部２９とを含む制御部の構成について説明する。
【００３７】
室内制御部３５は、コントロールユニット３５Ａと無線通信ユニット３５Ｂとを含む。コントロールユニット３５Ａは、周囲を板金などで覆うことが好ましい。一方、無線通信ユニット３５Ｂは、電波を送受信しやすいように、金属部材などで覆われてないことが好ましい。
【００３８】
コントロールユニット３５Ａには、ＣＰＵ（Central Processing Unit）３５１や、メモリ３５２や、シリアル通信インターフェイス３５８などが配置される。メモリ３５２は、第１の記憶領域３５２１、第２の記憶領域３５２２、第３の記憶領域３５２３などを含む。本実施の形態においては、第１の記憶領域３５２１は、フラッシュメモリなどのような書き換え可能な不揮発性の記憶媒体である。第２の記憶領域３５２２は、ＲＡＭ（Random access memory）などの一時的にデータを展開するための記憶媒体である。第３の記憶領域３５２３は、ＲＯＭ（Read Only Memory）などによって実現される。
【００３９】
無線通信ユニット３５Ｂには、ＣＰＵ３５６や、メモリ３５７や、ＷｉＦｉアンテナ３５９などが配置される。メモリ３５７は、第１の記憶領域３５７１、第２の記憶領域３５７２、第３の記憶領域３５７３などを含む。本実施の形態においては、第１の記憶領域３５７１は、フラッシュメモリなどのような書き換え可能な不揮発性の記憶媒体であって、繰り返し利用する音声のデータなどを格納する。第２の記憶領域３５７２は、ＲＡＭ（Random access memory）などの一時的にデータを展開するための記憶媒体であって、一時的にクラウドからダウンロードした音声データなどを格納する。第３の記憶領域３５７３は、ＲＯＭ（Read Only Memory）などに実現される。
【００４０】
コントロールユニット３５Ａと無線通信ユニット３５Ｂとは、信号線３５５によって通信可能に接続されている。
【００４１】
室外制御部２９は、室外コントロールユニット２９Ａを含む。室外コントロールユニット２９Ａにも、ＣＰＵ２９１や、メモリ２９２や、シリアル通信インターフェイス２９８などが配置される。
【００４２】
そして特に、本実施の形態においては、室内機３０のコントロールユニット３５ＡのＣＰＵ３５１は、リモートコントローラ５０からの指示を受けた場合や、その他の所定の条件が満たされた際に、各種の音声を出力するように、信号線３５５を介して無線通信ユニット３５Ｂに指示を送る。これに応じて、無線通信ユニット３５ＢのＣＰＵ３５６は、第１の記憶領域３５７１に記憶されている音声データに基づいて、スピーカ３８に音声を出力させる。
【００４３】
なお、無線通信ユニット３５ＢのＣＰＵ３５６は、コントロールユニット３５Ａからの指示に基づいて、ＷｉＦｉアンテナ３５９を利用することによって、クラウドから、繰り返し利用するための音声データをダウンロードして、第１の記憶領域３５７１に記憶させたり、第１の記憶領域３５７１の音声データを更新したりする。
【００４４】
なお、無線通信ユニット３５ＢのＣＰＵ３５６は、ＷｉＦｉアンテナ３５９を利用することによって、クラウドから一時的に利用するための音声データをダウンロードして、第２の記憶領域３５７２に展開させる。この場合は、無線通信ユニット３５ＢのＣＰＵ３５６は、第２の記憶領域３５７２に展開させた音声データを、コントロールユニット３５Ａが許可した場合に、そのまま、天気予報やニュースなどの音声をスピーカ３８に出力させる。
【００４５】
このように、本実施の形態においては、コントロールユニット３５Ａのメモリ３５２は音声データを記憶する必要がない。
【００４６】
また、本実施の形態においては、無線通信ユニット３５ＢのＣＰＵ３５６は、ＷｉＦｉアンテナ３５９を利用することによって、クラウドからの各種制御命令なども受信する。この場合は、無線通信ユニット３５ＢのＣＰＵ３５６は、音声の出力の指示に利用する信号線３５５を利用して、コントロールユニット３５ＡのＣＰＵ３５１にクラウドからの各種制御命令を伝達する。
【００４７】
本実施の形態においては、室内機３０のコントロールユニット３５ＡのＣＰＵ３５１は、リモートコントローラ５０や操作部を介して、無線通信ユニット３５Ｂによる外部の装置との無線通信を有効にしたり、無効にしたりするための指示を受け付ける。より詳細には、ＣＰＵ３５１は、無線通信をＯＮにするための指示に応じて、信号線３５５を介して無線通信ユニット３５ＢにＷｉＦｉアンテナ３５９による無線通信を開始させるとともに、ライト３９をＯＮする。逆に、ＣＰＵ３５１は、無線通信をＯＦＦにするための指示に応じて、信号線３５５を介して無線通信ユニット３５ＢにＷｉＦｉアンテナ３５９による無線通信を停止させるとともに、ライト３９をＯＦＦする。
【００４８】
特に、本実施の形態においては、ＷｉＦｉアンテナ３５９による無線通信をＯＦＦしても、無線通信ユニット３５Ｂ自体は起動したままに構成される。つまり、無線通信がＯＦＦの状態においても、室内機３０のコントロールユニット３５ＡのＣＰＵ３５１は、リモートコントローラ５０からの指示を受けた場合や、その他の所定の条件が満たされた際に、各種の音声を出力するように、信号線３５５を介して無線通信ユニット３５Ｂに指示を送る。これに応じて、無線通信ユニット３５ＢのＣＰＵ３５６は、第１の記憶領域３５７１に記憶されている音声データに基づいて、スピーカ３８に音声を出力させる。
＜第２の実施の形態＞
【００４９】
上記の実施の形態においては、ＷｉＦｉアンテナ３５９を利用してクラウドから音声データをダウンロードしたり、制御命令をダウンロードしたりするものであった。しかしながら、無線通信ユニット３５Ｂは、ＷｉＦｉ以外の通信手段によって無線通信を行ってもよい。
【００５０】
あるいは、図５に示すように、無線通信ユニット３５Ｂは、２種類の通信インターフェイス、たとえばＷｉＦｉアンテナ３５９Ａとｂｌｕｅｔｏｏｔｈアンテナ３５９Ｂなど、を有してもよい。そして、無線通信ユニット３５Ｂは、ｂｌｕｅｔｏｏｔｈアンテナ３５９Ｂを介して、他の装置から音声データを受信して、記憶領域３５７１に格納したり、更新したりできてもよい。この場合でも、無線通信ユニット３５Ｂは、ＷｉＦｉアンテナ３５９を介して、クラウドから制御命令を受け付けてもよい。
＜第３の実施の形態＞
【００５１】
上記の実施の形態においては、音声データを無線通信ユニット３５Ｂに格納するものであった。しかしながら、音声データに限らず、空気調和機１００の室内機３０の制御や室外機１０の制御に必要なデータを、無線通信ユニット３５Ｂに格納してもよい。この場合は、音声データを記憶している第１の記憶領域３５７１とは別の、不揮発性の第２の記憶領域３５７２や第３の記憶領域３５７３に、室内機３０の制御や室外機１０の制御に必要なデータを記憶できることが好ましい。
＜第４の実施の形態＞
【００５２】
上記の実施の形態においては、第２の記憶領域３５７２がＲＡＭであって、第１の記憶領域３５７１が不揮発性メモリであった。しかしながら、第１の記憶領域３５７１と第２の記憶領域３５７２と第３の記憶領域３５７３の種類は、上記のように限定されるものではない。
【００５３】
また、上記の実施の形態においては、第１の記憶領域３５７１と第２の記憶領域３５７２と第３の記憶領域３５７３とが異なる種類の記憶媒体であったが、同じ種類の記憶媒体であってもよい。
【００５４】
また、第１の記憶領域３５７１と第２の記憶領域３５７２と第３の記憶領域３５７３とは、１つの記憶媒体の別々の領域であってもよい。
＜まとめ＞
【００５５】
上記の実施の形態においては、室内機と、室外機とを備える空気調和機が提供される。室内機は、第１のメモリと第１のプロセッサとを含むコントロールユニットと、音声データを格納するための第２のメモリと第２のプロセッサと無線通信インターフェイスとを含む無線通信ユニットと、スピーカと、を含む。無線通信機能をＯＦＦした状態で、第２のプロセッサが第２のメモリの音声データに基づいてスピーカから音声を出力させる。
【００５６】
好ましくは、第２のメモリは不揮発性メモリを含む。第２のプロセッサは、無線通信インターフェイスを介して取得した音声データを不揮発性メモリに格納し、コントロールユニットからの指示に基づいて不揮発性メモリの音声データに基づいてスピーカから音声を出力させる。
【００５７】
好ましくは、第２のプロセッサは、無線通信インターフェイスを介して取得した音声データによって不揮発性メモリの音声データを書き換える。
【００５８】
好ましくは、室内機は、表示部をさらに含む。第１のプロセッサは、第２のプロセッサが起動中に、無線通信機能をＯＦＦした状態に、表示部をＯＦＦする。
【００５９】
好ましくは、無線通信ユニットからコントロールユニットに制御信号を送信する信号線を、コントロールユニットから無線通信ユニットに音声出力を指示するための信号の送信に用いる。
【００６０】
好ましくは、無線通信インターフェイスとは別の通信インターフェイスを介して、空気調和機に対する制御命令を受け付ける。
【００６１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６２】
１０      ：室外機
１１      ：筐体
１２      ：圧縮機
１２ａ    ：吐出管
１２ｂ    ：吸入管
１３      ：四路切換弁
１４      ：室外熱交換器
１５      ：膨張弁
１６      ：室外ファン
１７      ：冷媒配管
１８      ：冷媒配管
１９      ：二方弁
２０      ：三方弁
２１      ：室外熱交換器温度センサ
２２      ：吐出温度センサ
２３      ：吸入温度センサ
２４      ：室外熱交換器出口温度センサ
２５      ：外気温度センサ
２９      ：室外制御部
２９Ａ    ：室外コントロールユニット
３０      ：室内機
３１      ：筐体
３２      ：室内熱交換器
３２Ａ    ：熱交換器
３２Ｂ    ：熱交換器
３２Ｃ    ：熱交換器
３３      ：室内ファン
３４      ：室内熱交換器温度センサ
３５      ：室内制御部
３５Ａ    ：コントロールユニット
３５Ｂ    ：無線通信ユニット
３６      ：赤外線受光部
３７      ：室内温度センサ
３８      ：スピーカ
３９      ：ライト
５０      ：リモートコントローラ
１００    ：空気調和機
１０２    ：吸い込み口
１０３    ：吹き出し口
１０４    ：フィルタ
１０５    ：縦ルーバ
２９１    ：ＣＰＵ
２９２    ：メモリ
２９８    ：シリアル通信インターフェイス
３５１    ：ＣＰＵ
３５２    ：メモリ
３５５    ：信号線
３５６    ：ＣＰＵ
３５７    ：メモリ
３５８    ：シリアル通信インターフェイス
３５９    ：ＷｉＦｉアンテナ
３５９Ａ  ：ＷｉＦｉアンテナ
３５９Ｂ  ：アンテナ
３５２１  ：第１の記憶領域
３５２２  ：第２の記憶領域
３５２３  ：第３の記憶領域
３５７１  ：第１の記憶領域
３５７２  ：第２の記憶領域
３５７３  ：第３の記憶領域
【図１】
2020122589.tif 000003
【図２】
2020122589.tif 000004
【図３】
2020122589.tif 000005
【図４】
2020122589.tif 000006
【図５】
2020122589.tif 000007